(57)【要約】【課題】きのこ栽培室内の空気を過不足なくかつ満遍なく撹拌するためのきのこ栽培室用の送風装置風を提供する。【解決手段】きのこ栽培室内の空気を吸入してその前方に送り出す電動式の送風ファン１２０と、該ファンからその前方に送り出される空気を、その周囲に拡散させずに、その内側を通して、送風ファン１２０の前方に向けて直進させるためのガイド筒１１０と、送風ファン１２０をガイド筒１１０と共に上下方向に揺動させるための揺動手段１３０とを備える。そして、送風ファン１２０から送り出される空気を、ガイド筒１１０により、きのこ栽培室内の通路に沿って直進させる。【選択図】図１
2005237266.tif 000002
【特許請求の範囲】
【請求項１】
きのこ栽培室内の通路両脇に沿って、培養期又は生育期に当たる栽培中のきのこが上下複数段に並べて置かれて、そのきのこ栽培室内で、培養期又は生育期に当たるきのこの栽培が行われるきのこ栽培室内の、前記通路上に移動可能に設置されて使用される送風装置であって、
きのこ栽培室内の空気を吸入してその前方に送り出すための電動式の送風ファンと、該送風ファンからその前方に送り出される空気を、その周囲に拡散させずに、その内側を通して、送風ファンの前方に向けて直進させるための、送風ファンの前方に配置されたガイド筒と、前記送風ファンを、その前方に配置された前記ガイド筒と共に、上下方向に揺動させるための揺動手段とが備えられたことを特徴とするきのこ栽培室用の送風装置。
【請求項２】
前記送風ファン及び揺動手段を、所定の時刻に、所定時間の間、連続して動作させるためのタイマー機構が備えられたことを特徴とする請求項１記載のきのこ栽培室用の送風装置。
【請求項３】
前記送風ファンの回転数と、前記揺動手段によりガイド筒と共に上下方向に揺動させる送風ファンの揺動速度とを、増減調整するための調整機構が備えられたことを特徴とする請求項１又は２記載のきのこ栽培室用の送風装置。
【発明の詳細な説明】
【技術分野】
【０００１】
本発明は、培養期や生育期に当たる栽培中のきのこが収容されたきのこ栽培室内の通路上に移動可能に設置されて使用される送風装置であって、そのきのこ栽培室内の空気を撹拌して、そのきのこ栽培室内の温度、湿度等の気象条件をほぼ均一化するための送風装置に関する。
【背景技術】
【０００２】
えのき茸等のきのこは、一般に、広口のきのこ栽培瓶等の容器内に充填された培地を用いて、栽培される。具体的には、その容器に充填された培地にえのき茸等のきのこの菌糸を接種して蔓延させている。このきのこの菌糸を培地に蔓延させる過程は、培養期と呼ばれている。その後、そのきのこの菌糸を蔓延させた培地からきのこを発芽させて、そのきのこを、きのこ栽培瓶等の容器の口を通して容器上方に収穫するまでの大きさに生育している。この培地からきのこを発芽させて、そのきのこを収穫するまでに生育する過程は、生育期と呼ばれている。
この培養期や生育期に当たる栽培中のきのこは、一般に、温度、湿度等の気象条件が一定に保たれた、きのこ栽培室内に収容されて、その培養期や生育期におけるきのこの栽培が、一定の良好な気象条件下で行われる。
培養期に当たる栽培中のきのこを収容するきのこ栽培室１０は、図３に示したように、そのきのこ栽培室１０内の中央に縦断して設けられた通路１２の両脇に、培養期に当たる栽培中のきのこを置くための広いスペース１６が設けられた構造をしている。そして、その通路１２両脇のスペース１６に、培養期に当たる栽培中のきのこを上下複数段に積み重ねた状態で並べて置く構造をしている。具体的には、培養期に当たるきのこを栽培中の培地が充填された複数のきのこ栽培瓶等の容器を並べて収容したコンテナ（図示せず）を、パレット（図示せず）に複数個入れた状態で、上記スペース１６に上下複数段に積み重ねて並べて置く構造をしている。
他方、生育期に当たる栽培中のきのこを収容するきのこ栽培室１０は、図４に示したように、奥行きの深い縦に長い構造をしていて、その縦長のきのこ栽培室１０内の中央に縦断して設けられた通路１２の両脇に沿って、きのこ栽培棚１４が並べて置かれた構造をしている。そして、そのきのこ栽培棚１４に、生育期に当たる栽培中のきのこを上下複数段に並べて置く構造をしている。具体的には、生育期に当たるきのこを栽培中の培地が充填された複数のきのこ栽培瓶等の容器を並べて収容したコンテナ（図示せず）を、きのこ栽培棚１４に上下複数段に並べて置く構造をしている。
【０００３】
このような構造をしたきのこ栽培室１０内で、培養期や生育期に当たる栽培中のきのこの人工栽培を行う際には、そのきのこ栽培室１０内の天井壁等に空気循環ファン（図示せず）を設けて、その空気循環ファンにより、きのこ栽培室１０内の空気を上下、左右等に撹拌している。そして、そのきのこ栽培室１０内の温度、湿度等の気象条件を、きのこ栽培室１０内の隅部とその中央部、又はきのこ栽培室１０内の上部とその下部等との間で差が生じないように、ほぼ均一に保つようにしている。そして、そのきのこ栽培室の通路１２両脇のスペース１６に上下複数段に重ねて並べて置かれたり、そのきのこ栽培室の通路１２両脇のきのこ栽培棚１４に上下複数段に並べて置かれたりした栽培中のきのこの生育状態に差が生じないようにしている。そして、そのそのきのこ栽培室の通路１２両脇のスペース１６やきのこ栽培棚１４に上下複数段に並べて置かれたきのこの全体を、その一部のきのこに生育不良等が発生しないように、その生育状況をほぼ均一に揃えて生育している。
【特許文献１】特開２００３−１６４２２５号公報
【発明の開示】
【発明が解決しようとする課題】
【０００４】
しかしながら、上記のようにして、きのこ栽培室１０内の天井壁等に設けられた空気循環ファンを用いて、きのこ栽培室１０内の空気を上下、左右等に撹拌した場合には、その空気循環ファンから送り出される空気が、そのファン近くに位置するきのこ栽培室の通路１２両脇のスペース１６上段のパレットに置かれた栽培中のきのこや、きのこ栽培棚１４上段に置かれた栽培中のきのこに、直接に強く当たった。そして、それらの栽培中のきのこが、過度に乾燥した状態となって、それらのきのこが水分不足に陥り、褐色等に変色したり、枯死したりした。他方、空気循環ファンから離れたきのこ栽培室の通路１２両脇のスペース１６下段のパレットに置かれた栽培中のきのこや、きのこ栽培棚１４下段に置かれた栽培中のきのこ周辺には、空気循環ファンから送り出される空気が十分に行き渡らずに、それらのきのこ周辺が湿度過多の状態となった。そして、それらのきのこ周辺に雑菌が繁殖して、その雑菌のために、それらのきのこの生長が阻害されたり、それらのきのこが根腐れ等を起こしたりした。
【０００５】
また、きのこ栽培室１０内の空気を上下、左右等に撹拌するための上記空気循環ファンは、きのこ栽培室１０内の天井壁等に移動不可能に固定された状態で設けられていて、その空気循環ファンが設置された箇所のスペース分、きのこ栽培室１０内の空間が、狭められてしまった。そのために、その空気循環ファンが設置された箇所に邪魔されて、栽培中のきのこを、きのこ栽培室１０内の通路１２両脇の空間に効率良く多段に並べて収容することが、困難であった。
【０００６】
本発明は、このような課題を解消可能な、培養期や生育期に当たる栽培中のきのこを収容するきのこ栽培室内の通路上に移動可能に設置して使用する送風装置であって、そのきのこ栽培室内の空気を過不足なくかつ満遍なく撹拌して、そのきのこ栽培室内の気温、湿度等の気象条件をほぼ均一化するためのきのこ栽培室用の送風装置を提供することを、目的としている。
【課題を解決するための手段】
【０００７】
このような目的を達成するために、本発明のきのこ栽培室用の送風装置は、
きのこ栽培室内の通路の両脇に沿って、培養期又は生育期に当たる栽培中のきのこが上下複数段に並べて置かれて、そのきのこ栽培室内で、培養期又は生育期に当たるきのこの栽培が行われるきのこ栽培室内の、前記通路上に移動可能に設置されて使用される送風装置であって、
きのこ栽培室内の空気を吸入してその前方に送り出す電動式の送風ファンと、該送風ファンからその前方に送り出される空気を、その周囲に拡散させずに、その内側を通して、送風ファンの前方に向けて直進させるための、送風ファンの前方に配置されたガイド筒と、前記送風ファンを、その前方に配置された前記ガイド筒と共に、上下方向に揺動させるための揺動手段とが備えられたことを特徴としている。
【０００８】
このような構成のきのこ栽培室用の送風装置においては、そのきのこ栽培室内の通路上に設置された送風装置の電動式の送風ファンを回転させて、その回転する送風ファンからその前方に送り出される空気を、送風ファンの前方に備えられたガイド筒内側を通過させることができる。そして、その送風ファンから送り出された空気を、その周囲に拡散させずに、ガイド筒の内周壁によりガイドして、送風ファンの前方に向けて直進させることができる。
従って、そのきのこ栽培室内の通路上に設置する送風装置の送風ファンの空気が送り出される前面部分を、通路方向と同じ方向に向けておくことにより、その送風ファンからその前方に送り出される空気を、ガイド筒により、その通路両脇に沿って上下複数段に並べて置かれた栽培中のきのこの周辺に直接に拡散させずに、通路に沿って直進させることができる。
その際には、その通路に沿って直進させる空気中に、その周辺から誘い風を呼び込むことができる。そして、その通路に沿って直進する空気中に、その周囲から侵入する誘い風の風圧を利用して、通路両脇のスペース又はきのこ栽培棚に上下複数段に並べて置かれた栽培中のきのこ周辺に滞留する空気を、過度にではなく、柔らかく優しく撹拌できる。
その結果、その送風ファンからその前方に送り出される空気が、通路両脇のスペース又はきのこ栽培棚に上下複数段に並べて置かれた栽培中のきのこに直接に当たって、その栽培中のきのこが過度に乾燥するのを、防ぐことができる。それと共に、その通路両脇に沿って上下複数段に並べて置かれた栽培中のきのこ周辺に滞留する空気を、適度に柔らかく優しく撹拌できる。
【０００９】
また、その際には、揺動手段を用いて、送風ファンを、その前方に配置されたガイド筒と共に、上下方向に揺動させることができる。そして、送風ファンからその前方に送り出される空気を、通路に沿って上下方向に広範囲に放射状に繰り返し直進させ続けることができる。そして、その通路に沿って上下方向に広範囲に放射状に繰り返し直進させ続ける空気により、きのこ栽培室内の空気を、上下に満遍なく効率良く撹拌し続けることができる。
その結果、そのきのこ栽培室内の上部と下部とで温度、湿度等の気象条件が異なることのないように、そのきのこ栽培室内の上部と下部との気象条件を的確にほぼ均一化できる。そして、その通路両脇のスペースやきのこ栽培棚に上下複数段に並べて置かれた栽培中のきのこの生育過程に差が生じないように、そのスペースやきのこ栽培棚の上段と下段とに置かれた栽培中のきのこを、その生育状態を揃えて栽培することが可能となる。
【００１０】
本発明のきのこ栽培室用の送風装置においては、送風ファン及び揺動手段を、所定の時刻に、所定時間の間、連続して動作させるためのタイマー機構を備えると良い。
そうした場合には、送風装置が通路上に設置されたきのこ栽培室内の空気が、送風ファンから送り出され続ける空気により、撹拌され過ぎて、そのきのこを栽培中のきのこ栽培室内が過度に乾燥した状態とならないように、かつ、送風ファン及び揺動手段が不必要に長時間に亙って無駄に動作し続けないように、タイマー機構を用いて、その送風ファン及び揺動手段を、所定の時刻に、所定時間の間だけ、連続して動作させることができる。
そして、そのきのこ栽培室内の空気が、送風ファンから送り出され続ける空気により、撹拌され過ぎて、その培養期又は生育期に当たるきのこを栽培中のきのこ栽培室内が過度に乾燥した状態となるのを、防ぐことができる。そして、そのきのこ栽培室内で栽培中のきのこが水分不足に陥って、褐色等に変色したり、枯死したりするのを、防ぐことができる。
また、送風ファン及び揺動手段が不必要に長時間に亙って無駄に動作し続けて、電力が無駄に消費されるのを、防ぐことができる。
【００１１】
また、本発明のきのこ栽培室用の送風装置においては、送風ファンの回転数と、揺動手段によりガイド筒と共に上下方向に揺動させる送風ファンの揺動速度とを、増減調整するための調整機構を備えると良い。
そうした場合には、その調整機構を用いて、送風ファンの回転数を増減させて、その送風ファンから送り出される風力を、強弱に調整できる。それと共に、揺動手段によりガイド筒と共に上下方向に揺動させる送風ファンの揺動速度を、増減調整できる。そして、その送風ファンから送り出されて、ガイド筒内側を通過する空気を、通路を通して、その先方のきのこ栽培室の内側壁まで過不足なく到達させることができる。そして、その送風ファンから送り出されて通路先方のきのこ栽培室の内側壁まで到達する空気を用いて、きのこ栽培室内の通路両脇のスペースやきのこ栽培棚に上下複数段に並べて置かれた栽培中のきのこの周辺全体に滞留する空気を、過不足なくかつ満遍なく撹拌できる。
【発明の効果】
【００１２】
以上、説明したように、本発明のきのこ栽培室用の送風装置によれば、そのきのこ栽培室の通路両脇のスペースやきのこ栽培棚に上下複数段に並べて置かれた栽培中のきのこに、送風ファンからその前方に送り出される空気が直接に当たって、その栽培中のきのこが過度に乾燥するのを、防ぐことができる。そして、そのきのこ栽培室の通路両脇のスペースやきのこ栽培棚に置かれた栽培中のきのこが水分不足に陥って、褐色等に変色したり、枯死したりするのを、防ぐことができる。
また、その送風装置から離れた通路両脇のスペース下段やきのこ栽培棚下段に置かれた栽培中のきのこ周辺に、送風ファンから送り出される空気が十分に行き渡らずに、そのきのこ周辺が湿度過多の状態となるのを、防ぐことができる。そして、そのきのこ周辺に雑菌が繁殖して、そのきのこの生長が阻害されたり、そのきのこが根腐れ等を起こしたりするのを、防ぐことができる。
また、揺動手段により、送風ファンからその前方に送り出される空気を、通路に沿って上下方向に広範囲に放射状に繰り返し直進させ続けて、きのこ栽培室内の空気を、上下に満遍なく効率良く撹拌し続けることができる。そして、きのこ栽培室内の上部と下部とで温度、湿度等の気象条件が異なることのないように、そのきのこ栽培室内の上部と下部との気象条件を的確にほぼ均一化して、その通路両脇のスペースやきのこ栽培棚に上下複数段に並べて置かれた栽培中のきのこの生育過程に差が生じないように、それらのスペースやきのこ栽培棚の上段や下段等に置かれた栽培中のきのこの全ての生育状態を揃えることが可能となる。
【発明を実施するための最良の形態】
【００１３】
次に、本発明の実施の形態を図面に従い説明する。
図１と図２はきのこ栽培室用の送風装置の好適な実施の形態を示し、図１はその概略構造を示す側面図、図２はその正面図である。以下に、このきのこ栽培室用の送風装置を説明する。
【００１４】
このきのこ栽培室用の送風装置１００は、図３又は図４に示したような、培養期又は生育期に当たる栽培中のきのこを収容する、きのこ栽培室１０内の中央に縦断して設けられた、きのこ栽培者が通る通路１２上に、移動可能に設置されて、使用される。そして、その送風装置１００を、きのこ栽培者の作業に邪魔になる場合は、きのこ栽培室１０外部に搬出できる構造をしている。また、きのこ栽培室１０外部に一旦搬出した送風装置１００は、使用する必要が生じた際に、再びきのこ栽培室内の通路１２上に搬入して、再設置できる構造をしている。
具体的には、送風装置１００全体の重量が、約１２Ｋｇと、軽量に形成されていて、きのこ栽培者が、手に持って、きのこ栽培室１０の内外に移動させることができる構造をしている。なお、送風装置１００には、車輪を付設しておき、その送風装置１００を、手に持たずに、通路１２上を押して、きのこ栽培室１０の内外に容易に移動させることができる構造とすることも、可能である。
送風装置１００は、図１と図２に示したように、ほぼＬ字枠状をした上部枠体１０２が、同じくほぼＬ字枠状をした下部枠体１０４の上端に、軸１０６を介して、上下方向に回動可能に固定されている。上部枠体１０２の内側には、ガイド筒１１０が、その前端開口部１１２を上部枠体１０２の前方に向けて、横向きに寝せて備えられている。ガイド筒１１０の後方には、電動式の送風ファン１２０が、その空気を送り出すファン前面を、ガイド筒の後端開口部１１４に対向させて、備えられている。そして、図１に矢印で示したように、回転する送風ファン１２０からその前方に送り出される空気を、その周囲に拡散させずに、ガイド筒１１０内側を通して、送風ファン１２０の前方に向けて直進させことができるように構成されている。
送風ファン１２０及びガイド筒１１０は、上部枠体１０２に、アーム１０８等を介して、共に固定されている。そして、送風ファン１２０及びガイド筒１１０を、それらが固定された上部枠体１０２と共に、下部枠体１０４に対して、軸１０６を中心に、上下方向に回動させることができるように構成されている。
下部枠体１０４後部と上部枠体１０２後部とに亙っては、上部枠体１０２を、それに固定された送風ファン１２０及びガイド筒１１０と共に、軸１０６を中心に、上下方向に揺動させるための、揺動手段１３０が備えられている。
揺動手段１３０は、下部枠体１０４後部に搭載されたギヤ付き電動モータ１３２と、該モータの出力軸と上部枠体１０２後部とを繋ぐクランク機構１３４とから構成されている。クランク機構１３４は、長短２本のリンクを連結させて形成されている。そして、ギヤ付き電動モータ１３２を回転駆動させることにより、その電動モータ１３２の出力軸に一端が繋がれたクランク機構１３４を動作させて、そのクランク機構１３４の他端が繋がれた上部枠体１０２を、それに固定された送風ファン１２０及びガイド筒１１０と共に、下部枠体１０４に対して、軸１０６を中心に、所定角度に亙って上下方向に繰り返し揺動させることができるように構成されている。
下部枠体１０４底面の４隅には、ゴム脚１０７が付設されていて、下部枠体１０４をきのこ栽培室内の通路１２上に安定させて設置できるように構成されている。
上部枠体１０２の前面は、防護用ネット１０５で覆われていて、ガイド筒１１０内側を通して、送風ファン１２０に手が触れられないように構成されている。
【００１５】
図１と図２に示したのきのこ栽培室用の送風装置１００は、以上のように構成されていて、このきのこ栽培室用の送風装置１００においては、その送風装置１００を、培養期又は生育期に当たる栽培中のきのこを収容するきのこ栽培室１０内に搬入して、その栽培室内の通路１２上に、ゴム脚１０７を介して安定させて設置できる。
その際には、その送風装置の送風ファン１２０の空気が送り出される前面部分、即ちガイド筒１１０を、図３と図４に矢印で示したように、通路１２の前方又は後方に向けておくことができる。
次いで、その送風装置１００の電動式の送風ファン１２０を回転駆動させて、その回転する送風ファン１２０からその前方に送り出される空気を、送風ファン１２０の前方に備えられたガイド筒１１０内側を通過させることができる。そして、その送風ファン１２０から送り出された空気を、その周囲に拡散させずに、ガイド筒１１０内周壁によりガイドして、送風ファン１２０の前方に当たる、きのこ栽培室内の通路１２の前方又は後方に向けて直進させることができる。そして、その送風ファン１２０からその前方に送り出される空気を、ガイド筒１１０により、その通路１２両脇のスペース１６又はきのこ栽培棚１４に上下複数段に並べて置かれた栽培中のきのこの周辺に直接に拡散させずに、通路１２に沿って直進させることができる。そして、その送風装置の送風ファン１２０からその前方に送り出される空気が、通路１２両脇のスペース１６又はきのこ栽培棚１４に上下複数段に並べて置かれた栽培中のきのこに直接に当たって、その栽培中のきのこが過度に乾燥した状態となるのを、防ぐことができる。
その際には、そのきのこ栽培室の通路１２に沿って直進させる空気中に、その周辺から誘い風を呼び込むことができる。そして、その通路１２に沿って直進する空気中に、その周囲から侵入する誘い風の風圧を利用して、通路１２両脇のスペース１６又はきのこ栽培棚１４に上下複数段に並べて置かれた栽培中のきのこ周辺に滞留する空気を、過度にではなく、柔らかく優しく撹拌できる。
【００１６】
また、その際には、揺動手段１３０を用いて、送風ファン１２０及びガイド筒１１０を、それらが固定された上部枠体１０２と共に、下部枠体１０４に対して、軸１０６を中心に、所定角度に亙って上下方向に繰り返し揺動させることができる。そして、送風ファン１２０からその前方に送り出される空気を、通路１２に沿って所定角度に亙って上下方向に広範囲に放射状に繰り返し直進させ続けることができる。そして、その通路１２に沿って上下方向に所定角度に亙って広範囲に放射状に繰り返し直進させ続ける空気により、きのこ栽培室１０内の空気を、上下に満遍なく効率良く撹拌し続けることができる。そして、そのきのこ栽培室１０内の上部と下部とで温度、湿度等の気象条件をほぼ均一化して、そのきのこ栽培室の通路１２両脇のスペース１６又はきのこ栽培棚１４に上下複数段に並べて置かれた栽培中のきのこを、その上段と下段とで栽培中のきのこの生育状態に差が生じないように、その生育状態を揃えて栽培することができる。
【００１７】
また、きのこ栽培室用の送風装置１００をきのこ栽培室１０内に置いて使用する必要がなくなった際や、その送風装置１００がきのこ栽培作業の邪魔となって、一時排除したい場合には、その送風装置の上部枠体１０２を手で持つ等して、その送風装置１００をきのこ栽培室１０外部に搬出して、きのこ栽培室１０内から除去できる。また、その送風装置１００をきのこ栽培室１０内に再度置いて使用する必要が生じた際などには、その送風装置の上部枠体１０２を手で持つ等して、その送風装置１００をきのこ栽培室１０内に搬入して、そのきのこ栽培室内の通路１２上に使用可能な状態に再設置できる。
【００１８】
このきのこ栽培室用の送風装置においては、その電動式の送風ファン１２０及びギヤ付き電動モータ１３２を駆動源とする揺動手段１３０を、所定の時刻に、所定時間の間、連続して動作させるためのタイマー機構１４０を下部枠体１０４内側等に備えると良い。タイマー機構１４０は、電子回路とタイマー等とを組み合わせて構成すると良い。そして、そのタイマー機構１４０を用いて、送風装置の送風ファン１２０及び揺動手段１３０を、所定の時刻に、必要最低限の所定時間の間だけ、連続して動作させると良い。そして、きのこ栽培室１０内が、送風装置の送風ファン１２０から送り出され続ける空気により、撹拌され過ぎて、そのきのこ栽培室１０内が過度に乾燥した状態となるのを、防ぐと良い。そして、そのきのこ栽培室１０内で栽培中のきのこが水分不足に陥って、褐色等に変色したり、枯死したりするのを、防ぐと良い。また、送風ファン１２０及び揺動手段１３０が必要以上に長い時間無駄に動作し続けて、電力が無駄に消費されるのを、防ぐと良い。
【００１９】
また、このきのこ栽培室用の送風装置においては、図１に示したように、電動式の送風ファン１２０の回転数と、揺動手段１３０によりガイド筒１１０と共に上下方向に揺動させる送風ファン１２０の揺動速度とを、増減調整するための調整機構１５０を備えると良い。調整機構１５０は、送風ファン駆動用の電動モータ１２２及び揺動機構１３０駆動用の電動モータ１３２の回転数を増減させるインバータ機能を持つ電子回路等から構成して、下部枠体１０４内側等に備えると良い。そして、その調整機構１５０を用いて、送風ファン１２０の回転数を増減させて、その送風ファン１２０から送り出される風力を、強弱に調整すると良い。それと共に、揺動手段１３０によりガイド筒１１０と共に上下方向に揺動させる送風ファン１２０の揺動速度を、増減調整すると良い。そして、その送風ファン１２０から送り出されて、ガイド筒１１０内側を通過する空気を、通路１２を通して、その先方のきのこ栽培室１０の内側壁まで過不足なく到達させることができるようにすると良い。そして、その通路１２先方のきのこ栽培室１０の内側壁まで到達する空気を用いて、きのこ栽培室１０内の通路１２両脇の栽培中のきのこが置かれたスペース１６やきのこ栽培棚１４の周辺全体に滞留する空気を、過不足なくかつ満遍なく撹拌できるようにすると良い。
【産業上の利用可能性】
【００２０】
本発明のきのこ栽培室用の送風装置は、水蒸気が充満した高湿度の気象条件下できのこの菌糸を培地に蔓延させる培養期に当たる栽培中のきのこを収容するきのこ栽培室内に充満する水蒸気を上下に満遍なく撹拌するのに、有効利用可能である。
また、本発明のきのこ栽培室用の送風装置は、きのこの菌糸を蔓延させた培地からきのこを発芽させて、そのきのこを収穫するまでに大きく生育する生育期に当たる栽培中のきのこを収容するきのこ栽培室内の空気を過不足なくかつ満遍なく撹拌するのにも、有効利用可能である。
【図面の簡単な説明】
【００２１】
【図１】本発明のきのこ栽培室用の送風装置の概略構造を示す側面図である。
【図２】本発明のきのこ栽培室用の送風装置の正面図である。
【図３】培養期に当たる栽培中のきのこを収容するきのこ栽培室の概略構造を示す平面図である。
【図４】生育期に当たる栽培中のきのこを収容するきのこ栽培室の概略構造を示す平面図である。
【符号の説明】
【００２２】
１０  きのこ栽培室
１２  きのこ栽培室内の通路
１４  きのこ栽培棚
１００  送風装置
１０２  上部枠体
１０４  下部枠体
１０６  軸
１１０  ガイド筒
１２０  送風ファン
１３０  揺動手段
１４０  タイマー機構
１５０  調整機構
【図１】
2005237266.tif 000003
【図２】
2005237266.tif 000004
【図３】
2005237266.tif 000005
【図４】
2005237266.tif 000006